(57)【要約】【課題】本発明は、止水栓操作管内に挿入嵌合されているスライド部材を畦畔表面より高い膝位置まで引き上げ、スライド部材のスライド取手を持って止水栓操作管を持ち上げて、上下調節動作ができる伸縮スライド取手付収納水閘を提供する。【解決手段】水田の管理のために止水栓９を開閉するには、畦畔等の表面の収納ＢＯＸキャップ８を開け、収納ＢＯＸ管７内の袋ナット１１を緩めた上で、スライド取手１８を掴み、スライド部材１５を引き上げて上昇させ、上部ストッパー１６と下部ストッパー１４と係合させる。さらに持ち上げると、前記スライド部材１５と止水栓操作管１２が一緒に上下動するので、止水栓９の開閉操作を可能にする。水田の水量調節が終わったら、袋ナット１１を締めて止水栓操作管１２を固定することにより止水栓９が固定され、次にスライド部材１５を止水栓操作管１２内に押し込んで収納し、最後に収納ＢＯＸキャップ８を閉じる。【選択図】図１
2016211203.tif 000002
【特許請求の範囲】
【請求項１】
水平方向の排水管接続部と垂直方向の立上管接続部を有するＴ字状の水閘チーズと、該水閘チーズに固定立設された水閘立上管と、該水閘立上管の上部外周に摺動自在に嵌合されたスライド管と、該スライド管に収納ＢＯＸ継手を介して接続された収納ＢＯＸ管と、該収納ＢＯＸ管の上端開口を閉塞する収納ＢＯＸキャップと、前記水閘チーズの内部に止水栓を有し、下端を前記止水栓に接続され、前記水閘立上管、収納ＢＯＸ管内を立設され、前記収納ＢＯＸ管内の下部の止水栓固定枠に設けた袋ナットにより固定された止水栓操作管と、該止水栓操作管の上端に接続された止水栓操作チーズとからなる収納水閘において、
前記止水栓操作管内に挿入嵌合され、下端に下部ストッパーを備えたスライド部材と、前記止水栓操作管の上端内周に前記下部ストッパーと係合し、前記スライド部材の上昇を停止させ、前記スライド部材と止水栓操作管とを連動させる上部ストッパーと、前記止水栓操作チーズの中央に設けた貫通穴を貫通し、前記スライド部材の上端に固定し、前記スライド部材と止水栓操作管とを一緒に引き上げるスライド取手からなることを特徴とする伸縮スライド取手付収納水閘。
【請求項２】
前記スライド部材は、上端をスライド取手に固定し、前記止水栓操作管と断面同心円状管で前記止水栓操作管内をスライド可能に嵌合され、下端外周には断面同心円状の下部ストッパーを嵌合固定することを特徴とする請求項１記載の伸縮スライド取手付収納水閘。
【請求項３】
前記スライド部材は、抜け止めにより上端をスライド取手に固定し、前記止水栓操作管内に挿入されたロープ・クサリ・棒等をスライド可能に嵌合し、下端外周には断面同心円状の下部ストッパーを嵌合固定することを特徴とする請求項１記載の伸縮スライド取手付収納水閘。
【請求項４】
前記止水栓操作チーズのＴ字形の水平部分を半割にし、該半割部分に前記スライド取手が収納されることを特徴とする請求項１記載の伸縮スライド取手付収納水閘。
【発明の詳細な説明】
【技術分野】
【０００１】
本発明は、水田の畦畔等の表面に収納ＢＯＸキャップが露出され、地中の収納ＢＯＸ管に収納されている止水栓操作管を、畦畔表面より高い膝位置まで持ち上げて、上下調節動作ができる収納水閘に関する。
【背景技術】
【０００２】
従来、水田の暗渠排水あるいは地中灌水施設に用いられる水閘（暗渠排水用バルブ）は、地上に突出しているため、暗渠排水用バルブの上端が畦畔等における草刈りなどの作業の邪魔になると共に、農機具などにより暗渠排水用バルブを破損する恐れがあった。
そのため、暗渠排水用バルブを地中に埋設することが行われている（特許文献１を参照）。
この公知技術は、暗渠集水管に連通する水路を形成する継手管と、この継手管内に設けられ前記水路を開閉する弁体と、この弁体から立上がる操作杆と、この操作杆の上端部に設けられた操作取手と、前記継手管から立上がり前記操作杆が内部に位置する立ち管と、この立ち管の上側に設けられ前記操作取手が内部に位置する保護ボックスと、この保護ボックスの上面開口を開閉する蓋体を備えたものである。
このように、前記公知技術は、操作取手が保護ボックス内にあり、かつ、この保護ボックスの上面開口が蓋体により閉じられるため、この蓋体のみを地上に露出させ、他の部分は地中に埋設される暗渠排水用バルブである。
【０００３】
前記暗渠排水用バルブは、草刈りなどの作業の邪魔にならないと共に、農機具などにより破損させてしまうことを防止できるが、前記操作取手が畦畔表面より低い位置にあり、農作業者が腰をかがめて操作杆を引き上げる動作が負担となり、引き上げる動作が行い難い不具合があった。
【０００４】
そのため、図５（ａ）、（ｂ）のようにロープ・クサリ等で操作取手を引っ掛けるもの、図５（ｃ）のようにロープ・クサリ・棒状の先に操作取手を引っ掛けるフック等が付いているもの、又は図５（ｄ）のように棒の先端が操作取手を引っ掛けられるフック状になっているものを使用し、高さを調整することが考えられる。しかし、取り外し可能な故に取付けが不十分な場合、操作中に操作取手から外れる恐れが考えられる。また使用後、取り外したロープ・クサリ・棒等を別途保管しておく必要が生じる。
【先行技術文献】
【特許文献】
【０００５】
【特許文献１】登録実用新案第３０３７４２１号公報（図１）
【発明の概要】
【発明が解決しようとする課題】
【０００６】
本発明は、止水栓操作管内に挿入嵌合されているスライド部材を畦畔表面より高い膝位置まで引き上げ、スライド部材のスライド取手を持って止水栓操作管を持ち上げて、上下調節動作ができる伸縮スライド取手付収納水閘を提供することを目的とする。
【課題を解決するための手段】
【０００７】
本発明の伸縮スライド取手付収納水閘は、水平方向の排水管接続部と垂直方向の立上管接続部を有するＴ字状の水閘チーズと、該水閘チーズに固定立設された水閘立上管と、該水閘立上管の上部外周に摺動自在に嵌合されたスライド管と、該スライド管に収納ＢＯＸ継手を介して接続された収納ＢＯＸ管と、該収納ＢＯＸ管の上端開口を閉塞する収納ＢＯＸキャップと、前記水閘チーズの内部に止水栓を有し、下端を前記止水栓に接続され、前記水閘立上管、収納ＢＯＸ管内を立設され、前記収納ＢＯＸ管内の下部の止水栓固定枠に設けた袋ナットにより固定された止水栓操作管と、該止水栓操作管の上端に接続された止水栓操作チーズとからなる収納水閘において、
前記止水栓操作管内に挿入嵌合され、下端に下部ストッパーを備えたスライド部材と、前記止水栓操作管の上端内周に前記下部ストッパーと係合し、前記スライド部材の上昇を停止させ、前記スライド部材と止水栓操作管とを連動させる上部ストッパーと、前記止水栓操作チーズの中央に設けた貫通穴を貫通し、前記スライド部材の上端に固定し、前記スライド部材と止水栓操作管とを一緒に引き上げるスライド取手からなる。
【発明の効果】
【０００８】
本発明の伸縮スライド取手付収納水閘は、止水栓操作管内に挿入嵌合され、下端に下部ストッパーを備えたスライド部材と、前記止水栓操作管の上端内周に前記下部ストッパーと係合し、前記スライド部材の上昇を停止させ、前記スライド部材と止水栓操作管とを連動させる上部ストッパーと、前記止水栓操作チーズの中央に設けた貫通穴を貫通し、前記スライド部材の上端に固定し、前記スライド部材と止水栓操作管とを一緒に引き上げるスライド取手からなるため、スライド取手を畦畔表面より高い膝位置まで引き上げ、スライド部材のスライド取手を持って止水栓操作管を持ち上げて、上下調節動作ができるため、農作業者が腰をかがめて止水栓操作管を引き上げる動作を負担なく行うことができる効果がある。
【図面の簡単な説明】
【０００９】
【図１】本発明の伸縮スライド取手付収納水閘の断面図である。
【図２】本発明の伸縮スライド取手付収納水閘の一部省略拡大断面図である。
【図３】スライド部材の他の実施例の一部省略拡大断面図である。
【図４】本発明の伸縮スライド取手付収納水閘の他の実施例の（ａ）一部省略拡大断面図、（ｂ）止水栓操作チーズのみの側面図である。
【図５】従来の取り外し可能なアタッチメントを使用した状態（ａ）〜（ｄ）の斜視図である。
【発明を実施するための形態】
【００１０】
本発明の伸縮スライド取手付収納水閘の一実施例を添付図面に基づいて、以下に説明する。
図１の断面図に示すように、本発明の伸縮スライド取手付収納水閘は、水平方向の排水管接続部１と垂直方向の立上管接続部２を有するＴ字状の水閘チーズ３と、該水閘チーズ３に固定立設された水閘立上管４と、該水閘立上管４の上部外周に摺動自在に嵌合されたスライド管５と、該スライド管５に収納ＢＯＸ継手６を介して接続された収納ＢＯＸ管７と、該収納ＢＯＸ管７の上端開口を閉塞する収納ＢＯＸキャップ８と、前記水閘チーズ３の内部に止水栓９を有し、下端を前記止水栓９に接続され、前記水閘立上管４、収納ＢＯＸ管７内を立設され、前記収納ＢＯＸ管７内の下部の止水栓固定枠１０に設けた袋ナット１１により固定された止水栓操作管１２と、該止水栓操作管１２の上端に接続された止水栓操作チーズ１３とからなる。
【００１１】
前記収納水閘において、図２の一部省略拡大断面図に示すように、前記止水栓操作管１２内に挿入嵌合され、下端に下部ストッパー１４を備えたスライド部材１５と、前記止水栓操作管１２の上端内周に前記下部ストッパー１４と係合し、前記スライド部材１５の上昇を停止させ、前記スライド部材１５と止水栓操作管１２とを連動させる上部ストッパー１６と、前記止水栓操作チーズ１３の中央に設けた貫通穴１７を貫通し、前記スライド部材１５の上端に固定し、前記スライド部材１５と止水栓操作管１２とを一緒に引き上げるスライド取手１８からなる。
【００１２】
前記スライド部材１５は、図２に示すように、上端をスライド取手１８に固定し、前記止水栓操作管１２と断面同心円状管１５で前記止水栓操作管１２内をスライド可能に嵌合され、下端外周には断面同心円状の下部ストッパー１４を嵌合固定するか、又は、図３の一部省略拡大断面図に示すように、抜け止め１９により上端をスライド取手１８に固定し、前記止水栓操作管１２内に挿入されたロープ・クサリ・棒等２０をスライド可能に嵌合し、下端外周には断面同心円状の下部ストッパー１４を嵌合固定する。
前記スライド部材１５は、適宜長さ設定できるが、前記スライド部材１５を引き上げた時に力が入るように膝位置付近に来る位の長さが理想的である。
【００１３】
前記上部ストッパー１６は、前記止水栓操作管１２の上端内周に断面同心円状に嵌合固定され又は図３に示すように止水栓操作チーズ１３に孔を開けて段部を設け、前記下部ストッパー１４と係合し、前記スライド部材１５の上昇を停止させ、前記スライド部材１５と止水栓操作管１２とを連動させる。
【００１４】
前記スライド取手１８は、前記止水栓操作チーズ１３のＴ字形の中央に設けた貫通穴１７を貫通したスライド部材１５の上端に固定し又は図３に示すように抜け止め１９により上端をスライド取手１８に固定し、前記スライド部材１５と止水栓操作管１２とを一緒に引き上げる動作を助ける。
なお、図１中の２２は離脱防止チェーン、２３はスライドソケットである。
【００１５】
次に、本発明の伸縮スライド取手付収納水閘の操作動作を添付図面に基づいて、以下に説明する。
図１に示す水田の管理のために止水栓９を開閉するには、畦畔等の表面の収納ＢＯＸキャップ８を開け、収納ＢＯＸ管７内の袋ナット１１を緩めた上で、スライド取手１８を掴み、前記スライド取手１８とスライド部材１５とを一緒に引き上げて上昇させ、上部ストッパー１６と下部ストッパー１４と係合させる。この時、スライド取手１８は農作業者の膝付近に位置するので、持ち上げ動作が容易となる。
さらに持ち上げると、前記スライド部材１５と止水栓操作管１２が一緒に上下動するので、止水栓９の開閉操作を可能にする。
水田の水量調節が終わったら、袋ナット１１を締めて止水栓操作管１２を固定することにより止水栓９が固定され、次にスライド部材１５を止水栓操作管１２内に押し込んで収納し、最後に収納ＢＯＸキャップ８を閉じる。
このようにして、前記スライド取手１８を畦畔表面より高い膝位置付近で上下動させることができるため、農作業者が腰をかがめて止水栓操作管１２を引き上げる動作を負担なく行うことができる。
【００１６】
次に、本発明の伸縮スライド取手付収納水閘の他の実施例を添付図面に基づいて、以下に説明する。
図４の（ａ）一部省略拡大断面図、（ｂ）止水栓操作チーズのみの側面図に示すように、Ｔ字形の止水栓操作チーズ１３の水平部分を半割にし、該半割部分２１にスライド取手１８が収納されるようにする。その他の構成は上記実施例の構成と同一である。
このようにすることにより、止水栓操作チーズ１３の突出部分が少なくなり、意匠効果も優れている。
【符号の説明】
【００１７】
１  排水管接続部
２  立上管接続部
３  水閘チーズ
４  水閘立上管
５  スライド管
６  収納ＢＯＸ継手
７  収納ＢＯＸ管
８  収納ＢＯＸキャップ
９  止水栓
１０  止水栓固定枠
１１  袋ナット
１２  止水栓操作管
１３  止水栓操作チーズ
１４  下部ストッパー
１５  スライド部材
１６  上部ストッパー
１７  貫通穴
１８  スライド取手
１９  抜け止め
２０  ロープ・クサリ・棒等
２１  半割部分
２２  離脱防止チェーン
２３  スライドソケット
【図１】
2016211203.tif 000003
【図２】
2016211203.tif 000004
【図３】
2016211203.tif 000005
【図４】
2016211203.tif 000006
【図５】
2016211203.tif 000007